(57)【要約】【課題】情報通信ネットワークを利用した広告配信にて、人が集まる様々な市場にあわせた広告配信、即時性の情報収集が可能な情報通信ネットワークによる広告配信システムの提供を目的とする。【解決手段】情報通信ネットワークにおいて、ネットワーク端末表示装置に表示する情報データの配信範囲にあわせてサーバ装置を設置し、サーバ装置よりネットワーク端末表示装置の設置場所にあわせた情報データを配信させる。前記より、様々な目的に応じた情報データを配信することが可能となることから、同様にネットワーク端末表示装置も周辺装置としての機能を内蔵させ、設置場所を限定されないようにする。又、ネットワーク端末表示装置にカメラ、各種センサーを内蔵させ、防犯、防災システムを兼用させることにより、設置店舗は広告配信の収益を得られると同時に、防犯、防災対策を行うことが可能となる。これらより、広告としての配信先の拡大が可能となる。【選択図】図１
2009020849.tif 000002
【特許請求の範囲】
【請求項１】
広告配信サービスの提供を目的とする情報通信ネットワークで接続された、メインサーバ装置、ローカルサーバ装置、ターミナルサーバ装置、カメラ及び各種センサーモジュール内蔵ネットワーク端末表示装置の構成において、情報データとしてメインサーバ装置は、全国版の情報データ、ローカルサーバ装置は、地方版の情報データ、ターミナルサーバ装置は、店舗版の情報データを有し、それぞれ編集、配信する手段を備え、又、ローカルサーバ装置は、メインサーバ装置で編集された情報データを受信し、ターミナルサーバ装置は、ローカルサーバ装置で編集された情報データを受信する手段を備え、カメラ及び各種センサーモジュール内蔵ネットワーク端末表示装置は、ターミナルサーバ装置で編集された情報データを受信し、表示する手段と内蔵するカメラ及び各種センサーモジュールにおいて情報収集し、収集した情報をターミナルサーバ装置へ送信する手段を備え、前記収集した情報をターミナルサーバ装置は、ローカルサーバ装置に送信、ローカルサーバ装置は、メインサーバ装置に送信する手段を備えたことを特徴とする広告配信システム。
【請求項２】
メインサーバ装置、ローカルサーバ装置、ターミナルサーバ装置は、それぞれ番組枠を有し、前記番組枠は、各サーバ装置で編集した情報データの編成が可能としたことを特徴とする請求項１に記載の広告配信システム。
【請求項３】
カメラ及び各種センサーモジュール内蔵ネットワーク端末表示装置への情報データの配信は、１台又はグループごとの配信が可能としたことを特徴とする請求項１又は、請求項２記載の広告配信システム。
【請求項４】
情報通信ネットワークで配信される情報データは、著作権保護が可能となる暗号化を行い、カメラ及び各種センサーモジュール内蔵ネットワーク端末表示装置のみで表示可能としたことを特徴とする請求項１から請求項３の何れか１項に記載の広告配信システム。
【請求項５】
カメラ及び各種センサーモジュール内蔵ネットワーク端末表示装置は、情報収集手段として双方向通信機能、情報収集機能を備え、周辺装置を必要としないことで設置場所が限定されないことにより、広告配信されていない分野へ情報データの配信、情報の収集を特徴とする請求項１から請求項４の何れか１項に記載の広告配信システム。
【請求項６】
カメラ及び各種センサーモジュール内蔵ネットワーク端末表示装置の双方向通信機能は、有線、無線通信を備えることを特徴とする請求項１から請求項５の何れか１項に記載の広告配信システム。
【請求項７】
カメラ及び各種センサーモジュール内蔵ネットワーク端末表示装置の情報収集機能は、内蔵する各種センサーモジュールにて監視、測定した情報をターミナルサーバ装置へ送信することを有し、内蔵する各種センサーモジュールは、カメラ及び各種センサーモジュール内蔵ネットワーク端末表示装置の設置場所に必要なセンサーに応じ、交換又は、複数の種類を取り付けることが可能であり、カメラは、センサーが感知した際に撮影し、撮影したカメラ画像をターミナルサーバ装置へ送信することで即時性の広告視聴状況の調査、防犯、防災システムを兼用することを特徴とする請求項１から請求項６の何れか１項に記載の広告配信システム。
【請求項８】
上記各種センサーモジュールのセンサーは、赤外線、温度、湿度、加速度、衝撃、接触、レーダー、音、圧力、光、ガス、回転、角度、振動、傾斜、磁気、電流、電波、超音波、照度、臭い、酸素センサーの少なくても１つであることを特徴とする請求項１から請求項７の何れか１項に記載の広告配信システム。
【発明の詳細な説明】
【技術分野】
【０００１】本発明は、情報通信ネットワークで接続された、サーバ装置と端末表示装置における広告配信システムに関するものである。
【背景技術】
【０００２】従来、多くの情報通信ネットワークによる広告配信システムが行われているが、広告配信先は限られており、人が集まる様々な市場にあわせた広告を提供出来ておらず、広告の即時性がある効果測定も得られないシステムであった。【０００３】又、防犯、防災対策等についてもシステムは提供されているが、設置側は、設置することでの収入は得られなかった。
【発明の開示】
【発明が解決しようとする課題】
【０００４】本発明は、このような従来の情報通信ネットワークによる広告配信システムが有していた問題を解決し、人が集まる様々な市場にあわせた広告配信、即時性の情報収集システムを実現させ提供することを目的とする。
【課題を解決するための手段】
【０００５】情報通信ネットワークによる広告配信システムは、メインサーバ装置、ローカルサーバ装置、ターミナルサーバ装置、カメラ及び各種センサーモジュール内蔵ネットワーク端末表示装置で構成される。配信する情報データは、全国版の情報データ、地方版の情報データ、店舗版の情報データと地域別に分け、全国版の情報データはメインサーバ装置、地方版の情報データはローカルサーバ装置、店舗版の情報データはターミナルサーバ装置で対応させ編集する。又、情報データの配信として、メインサーバ装置からローカルサーバ装置、ローカルサーバ装置からターミナルサーバ装置、ターミナルサーバ装置からカメラ及び各種センサーモジュール内蔵ネットワーク端末表示装置へ配信する。カメラ及び各種センサーモジュール内蔵ネットワーク端末表示装置は、ターミナルサーバ装置より配信される情報データの表示、内蔵するカメラ及び各種センサーモジュールで情報収集を行える機能を有する。カメラ及び各種センサーモジュールで収集した情報は、カメラ及び各種センサーモジュール内蔵ネットワーク端末表示装置からターミナルサーバ装置、ターミナルサーバ装置からローカルサーバ装置、ローカルサーバ装置からメインサーバ装置へ送信する。これらを特徴とする。【０００６】メインサーバ装置、ローカルサーバ装置、ターミナルサーバ装置は、それぞれ対応した番組枠が設けられることにより、各サーバ装置にあわせた番組編成が可能となることを特徴とする。【０００７】ターミナルサーバ装置から配信される情報データは、カメラ及び各種センサーモジュール内蔵ネットワーク端末表示装置の１台又は、数台のグループに配信可能とすることを特徴とする。【０００８】情報データの著作権保護、カメラ及び各種センサーモジュール内蔵ネットワーク端末表示装置の不正使用防止等より、情報データは暗号化されていることを特徴とする。【０００９】カメラ及び各種センサーモジュール内蔵ネットワーク端末表示装置は、双方向通信機能として有線、無線通信を内蔵し、又、外部装置となる機能を内蔵することで、通信線、周辺装置を考慮した設置場所に限定されないことにより、設置されていない分野へ設置出来ることを特徴とする。【００１０】カメラ及び各種センサーモジュール内蔵ネットワーク端末表示装置は、情報データの表示に限らず、内蔵したカメラ及び各種センサーモジュールのセンサーにて、監視、測定し、設置する様々な分野へ対応が可能となるように交換、複数種類を取り付け可能とし、カメラによるセンサーと連動した撮影も可能とすることで即時性の広告視聴状況の調査、防犯、防災等のシステムと兼用可能としたことを特徴とする。【００１１】カメラ及び各種センサーモジュール内蔵ネットワーク端末表示装置の各種センサーモジュールのセンサーは、赤外線、温度、湿度、加速度、衝撃、接触、レーダー、音、圧力、光、ガス、回転、角度、振動、傾斜、磁気、電流、電波、超音波、照度、臭い、酸素センサーを少なくても１つを有することを特徴とする。
【発明の効果】
【００１２】以上より、本発明は、情報通信ネットワークによる広告配信システムにおいて、各サーバに配信する情報データの目的を持たせ、情報データを表示するカメラ及び各種センサーモジュール内蔵ネットワーク端末表示装置が周辺装置を内蔵することにより、様々な市場にあわせた広告の提供をすることが可能となる。【００１３】又、カメラ及び各種センサーモジュール内蔵ネットワーク端末表示装置にカメラ及び各種センサーモジュールを内蔵することにより、即時性の広告視聴状況の調査、防犯、防災対策が可能となると同時に設置店舗は広告配信の収益を得られることが可能となる。
【発明を実施するための最良の形態】
【００１４】本発明の実施の形態を図１〜図５に基づいて説明する。【００１５】本発明全体システムの基本構成は図１に示すとおりである。【００１６】図１のように情報通信ネットワークによる広告配信システムは、全国版の情報データを編集するメインサーバ装置１と地方版の情報データを編集するローカルサーバ装置２と店舗版の情報データを編集するターミナルサーバ装置３と編集された全ての情報データの表示、カメラ及び各種センサーで情報収集可能なカメラ及び各種センサーモジュール内蔵ネットワーク端末表示装置４で構成される。【００１７】本発明全体システムの情報データの流れ、暗号化は図２に示すとおりである。【００１８】図２のように全国版の情報データ５は、メインサーバ装置１の全国版の情報データ編集１ａにて編集され、番組編成１ｂにて編成し、情報データの暗号化１ｃにて暗号化され、全国版の情報データ配信１ｄにてローカルサーバ装置２の番組編成２ｂに配信される。地方版の情報データ６は、地方版の情報データ編集２ａにて編集され、番組編成２ｂにて全国版の情報データとあわせて編成し、情報データの暗号化２ｃにて暗号化され、全国版地方版の情報データ配信２ｄにてターミナルサーバ装置３の番組編成３ｂに配信される。店舗版の情報データ７は、店舗版の情報データ編集３ａにて編集され、番組編成３ｂにて全国版地方版の情報データとあわせて編成し、情報データの暗号化３ｃにて暗号化され、情報データ配信３ｄにてカメラ及び各種センサーモジュール内蔵ネットワーク端末表示装置４の情報データの表示４ａに配信される。又、カメラ及び各種センサーモジュール内蔵ネットワーク端末表示装置４の各種センサー情報、カメラで撮影した画像４ｂは情報収集４ｃに送信され、情報収集４ｃにてターミナルサーバ装置３の情報３ｅへ送信され、ターミナルサーバ装置３の情報３ｅよりローカルサーバ装置２の情報２ｅに送信され、ローカルサーバ装置２の情報２ｅよりメインサーバ装置１の情報１ｅに送信される。【００１９】情報通信ネットワークによる広告配信システムの番組枠編成は図３に示すとおりである。【００２０】図３のように番組枠８は、メインサーバ装置用枠１ｆ〜１ｉとローカルサーバ装置用枠２ｆ〜２ｈとターミナルサーバ装置用枠３ｆ〜３ｉが有り、メインサーバ装置は、メインサーバ装置用枠１ｆ〜１ｉへ異なる全国版の情報データを設定する。ローカルサーバ装置は、ローカルサーバ装置用枠２ｆ〜２ｈへ異なる地方版の情報データを設定する。ターミナルサーバ装置は、ターミナルサーバ装置用枠３ｆ〜３ｉへ異なる店舗版の情報データを設定する。【００２１】情報通信ネットワークによる広告配信システムのカメラ及び各種センサーモジュール内蔵ネットワーク端末表示装置へ情報データの配信方法は、図４に示すとおりである。【００２２】図４のようにネットワーク接続されたカメラ及び各種センサーモジュール内蔵ネットワーク端末表示装置４は、グループ化９となる。又、ネットワーク接続されていないカメラ及び各種センサーモジュール内蔵ネットワーク端末表示装置４は１台単位となる。ターミナルサーバ装置３は、前記グループ化９及び１台毎に情報データを配信する。【００２３】情報通信ネットワークによる広告配信システムのカメラ及び各種センサーモジュール内蔵ネットワーク端末表示装置の基本機能は図５に示すとおりである。【００２４】図５のようにカメラ及び各種センサーモジュール内蔵ネットワーク端末表示装置４の情報収集機能４ｄの各種センサーモジュール４ｆは、各種センサー４ｈとして、赤外線センサー４ｉ温度センサー４ｊ、湿度センサー４ｋ等、カメラ及び各種センサーモジュール内蔵ネットワーク端末表示装置４の設置場所に合わせたセンサーが取り付けられ、各種センサー４ｈで監視、測定した情報は、各種センサーモジュール４ｆより、双方向通信機能４ｇへ送信される。又、情報収集機能４ｄのカメラ４ｅは、各種センサー４ｈで監視、測定した情報が各種センサーモジュール４ｆより送信されるとカメラ４ｅは撮影し、撮影したカメラ画像は、双方向通信機能４ｇへ送信される。双方向通信機能４ｇは，各種センサー４ｈで監視、測定した情報とカメラ４ｅで撮影したカメラ画像を無線又は有線でターミナル装置３へ送信する。
【図面の簡単な説明】
【００２５】
【図１】情報通信ネットワークによる広告配信システム基本構成図
【図２】情報通信ネットワークによる広告配信システム情報データの流れ、暗号化図
【図３】情報通信ネットワークによる広告配信システム番組枠編成図
【図４】  カメラ及び各種センサーモジュール内蔵ネットワーク端末表示装置の情報データ配信方法図
【図５】カメラ及び各種センサーモジュール内蔵ネットワーク端末表示装置の基本構成図
【符号の説明】
【００２６】１メインサーバ装置  １ａ全国版の情報データ編集  １ｂ番組編成  １ｃ情報データの暗号化  １ｄ全国版の情報データ配信  １ｅ情報  １ｆメインサーバ装置枠  １ｇメインサーバ装置枠２  １ｈメインサーバ装置枠３  １ｉメインサーバ装置枠４  ２ローカルサーバ装置  ２ａ地方版の情報データ編集  ２ｂ番組編成  ２ｃ情報データの暗号化  ２ｄ全国版地方版の情報データ配信  ２ｅ情報  ２ｆローカルサーバ装置枠１  ２ｇローカルサーバ装置枠２  ２ｈローカルサーバ装置枠３  ３ターミナルサーバ装置  ３ａ店舗版の情報データ編集  ３ｂ番組編成  ３ｃ情報データの暗号化  ３ｄ情報データの配信  ３ｅ情報  ３ｆターミナルサーバ装置枠１  ３ｇターミナルサーバ装置枠２  ３ｈターミナルサーバ装置枠３  ４カメラ及び各種センサーモジュール内蔵ネットワーク端末表示装置  ４ａ情報データの表示  ４ｂ各種センサー情報カメラで撮影した画像  ４ｃ情報収集  ４ｄ情報収集機能４ｅカメラ  ４ｆ各種センサーモジュール  ４ｇ双方向通信機能  ４ｈ各種センサー  ４ｉ赤外線センサー  ４ｊ温度センサー  ４ｋ湿度センサー  ４ｌ加速度センサー  ４ｍ光センサー  ５全国版の情報データ  ６地方版の情報データ  ７店舗版の情報データ  ８番組枠  ９グループ配信
【図１】
2009020849.tif 000003
【図２】
2009020849.tif 000004
【図３】
2009020849.tif 000005
【図４】
2009020849.tif 000006
【図５】
2009020849.tif 000007